(57)【特許請求の範囲】
【請求項１】
可動部材に接続する複数本の給電ケーブルを保持するケーブル保持部材と、装置本体に設けた案内孔に係止する係止部材と、該係止部材と前記ケーブル保持部材間に設けられ互いを離反する方向にバネ作用を有するバネ連結部材と、調整孔を有しケーブル保持装置を装置本体へ固定する固定部と、が前記ケーブル保持部材で保持された給電ケーブルの長手方向に沿って設けられると共に合成樹脂で一体成形されていることを特徴とするケーブル保持装置。
【請求項２】
請求項１に記載されたケーブル保持装置において、
前記ケーブル保持部材には前記案内孔に対応して前記孔に案内されて移動するための摺動部を設け、前記案内孔は前記ケーブル保持部材をケーブル長手方向に移動可能に案内することを特徴とするケーブル保持装置。
【発明の詳細な説明】
【０００１】
【発明の属する技術分野】
本発明は、可動部材に接続する複数本の給電ケーブルを保持する保持部材、特に、複写機、レーザープリンタ、レーザーファクシミリなどの可動部材に接続する複数本の給電ケーブルを保持装置の技術に関するものである。
【０００２】
【従来の技術】
固定された装置本体から可動装置に接続する給電ケーブルは、たるみ等が存在するとケーブルが捩れたり、複数本の場合には給電ケーブル同士が交差したりして、切断や器材の破損する場合があり、そのため、給電ケーブルの弛みを吸収する張力調整器を設けていた。
特に、画像読み取り装置における光源等の可動部材を有する複写機、レーザープリンタ、レーザーファクシミリなど精密電子機器においては、可動部材に接続する給電ケーブルは本数も多く可動回数も頻繁であることから、給電ケーブルの弛みは極力排除しなければならず、特開平9-127616号公報に記載されているように、給電ケーブルの弛みを吸収するための弾性変形する規制部材を設けることも提案されている。
また、前記のような規制部材を用いることは部品点数が増えるとともに、保守が必要となることから、上記の規制部材等を用いることなく取り付ける給電ケーブルの長さ自体の管理を正確にして、給電ケーブル自体に弛みを生じさせない装置の組み立て方法も採用されている。
【０００３】
【発明が解決しようとする課題】
しかしながら、給電ケーブルの長さ自体の管理を正確にして、給電ケーブル自体に弛みを生じさせない方法においては、通常、給電ケーブル等の電線の類は寸法公差を厳しくすることは困難でありコストがかかるため、一般的には公差は±５mm程度としているのがほとんどである。
そのため、求められる長さよりは若干長めの寸法に設定しており、公差のプラス側のものは取り付け時には長さを調節しないと弛んでしまうので、手作業にて弛みを無くした状態でケーブル保持装置で調整固定する方法が採用されている。
この弛みを無くすための手作業はやっかいな作業であり、その弛みを無とする程度も個人差があり一様ではなかった。
【０００４】
本発明は、上記の問題の解決を目的になされたものであって、可動部材に接続する複数本の給電ケーブルを保持するケーブル保持装置において、簡単に給電ケーブルの弛みを無くした状態で調整固定することができるものである。
【０００５】
【課題を解決するための手段】
請求項１の発明は、可動部材に接続する複数本の給電ケーブルを保持するケーブル保持部材と、装置本体に設けた案内孔に係止する係止部材と、該係止部材と前記ケーブル保持部材間に設けられ互いを離反する方向にバネ作用を有するバネ連結部材と、調整孔を有しケーブル保持装置を装置本体へ固定する固定部と、が前記ケーブル保持部材で保持された給電ケーブルの長手方向に沿って設けられると共に合成樹脂で一体成形されていることを特徴とするケーブル保持装置である。
【０００６】
請求項２の発明は、請求項１に記載されたケーブル保持装置において、前記ケーブル保持部材には前記案内孔に対応して前記孔に案内されて移動するための摺動部を設け、前記案内孔は前記ケーブル保持部材をケーブル長手方向に移動可能に案内することを特徴とするケーブル保持装置である。
【０００８】
【発明の実施の形態】
以下、本発明の実施例を図に基づいて詳細に説明する。
図１に本発明の好適な一実施例である複写機の画像読み取り装置の可動部の概略を示す。
図１の画像読み取り装置本体１は、複写機の原稿台の下に位置しており、装置本体１の上部の両側部には第１レール１１と第２レール１２とが設けられ、第１レール１１上には可動部材である第１走行体２が矢印B方向を往復し、第２レール１２上には可動部材である第２走行体３が矢印B方向を往復する。
第１走行体２には光源２１とリフレクタ２２および画像を読み取るミラー２３が設けられ、画像読み取り時には矢印B方向を往復する。この光源２１により照射された原稿(図示せず)の反射光はミラー２３によって光路を変え、第２走行体３が追従して第１走行体の１/２の速度で矢印B方向を往復するが、ミラー２３からの光は第２走行体の一対のミラー３１,３２により、装置本体１に固定されたレンズ部４に到達し、レンズ部４により集光されレンズ部４に設けられたＣＣＤ基板４１上に画像となって表れる。
この際、光源２１等の電源は給電ケーブル５によって装置本体１のコネクタ６から供給されるが、コネクタ６から給電ケーブル５は先ずケーブル保持部材７によって保持され、第２走行体３のガイド部材３３によって案内され溝付きローラの回動部材３４によって反転して、第１走行体１の光源２１に接続されている。
【０００９】
次に、ケーブル保持部材７の具体的な構成を、図２および図３に沿って説明する。
ケーブル保持部材７の上部には、給電ケーブル５を把持するケーブル把持部７１が設けられ、ケーブル把持部７１にはケーブルを挟み込むように下面と上面にはケーブルガイド溝７１１が設けられ、上面を有する上片部７１２は開閉できるように構成され、開閉側には係止片７１３が設けられ、この係止片７１３が保持部材７側の溝部７１４に係合して給電ケーブル５を押圧固定して把持するようになっている。
一方、装置本体１の第２レール１２上の末端でコネクタ６の近傍にはケーブル保持部材７が固定されるが、そのための第２レール１２には、給電ケーブルの長手方向、即ち給電ケーブルの接続方向に細長い案内孔１３が設けられる。ケーブル保持部材の案内する案内孔１３に、ケーブル保持部材７の下端部の摺動する摺動溝７２が嵌合する。
即ち、ケーブル保持部材７の下端部は、装置本体１側の細長い案内孔１３に嵌合しての矢印方向に摺動するように両側部に移動のための摺動溝７２が設けられ、案内孔１３の両側面部１３１に摺動溝７２が嵌合するが給電ケーブルの長手方向には摺動して移動することが可能である。
【００１０】
ケーブル保持部材７の下部にはバネ連結部材７３が設けられるが、バネ連結部材７３はバネ作用を有するバネ部７３１がケーブル保持部材７の下部側面に連接され、このバネ部７３１の他端は案内孔１３の前端部の係止部１３２に係止する係止部材７３２に連接されている。
バネ部７３１は、ケーブル保持部材７の本体と係止部材７３２とが互いに離反する方向、即ち、給電ケーブルの長手方向で給電ケーブルの接続方向に付勢されるが、本実施例の付勢の意味するところは、ケーブル保持部材７を給電ケーブルの長手方向のどちらかに移動するような力が生ずればよく、押し圧力でも引っ張り力でもよい。
また、ケーブル保持部材７の下部には、別途にケーブル保持部材７の装置本体１への固定部７４が設けられ、固定部７４は第２レール１２の面に対応した底面７１を有し、給電ケーブルの長手方向に細長い調整孔７４１が設けられ、第２レール１２にも調整孔７４１に対応する位置に雌ネジ孔１４がもうけられ、ボルト８が調整孔７４１の適所を貫通して雌ネジ孔１４に縲合して、ケーブル保持部材７を装置本体１に固定する。
これらの、ケーブル保持部材を形成する７ケーブル把持部７１、摺動溝７２、バネ連結部材７３、固定部７４は合成樹脂で一体成形してあるので部品点数が増えることはない。
【００１１】
次に、主に図３を用いて、ケーブル保持部材７の装置本体１への取り付ける手順を説明する。
（１）ケーブル保持部材７の摺動溝７２を装置本体１側の案内孔１３の両側面１３１に嵌合し、バネ連結部材７３の係止部材７３２を案内孔１３の係止部１３２に係止する。
（２）図１において、第１走行体１の光源２１に接続されている給電ケーブル５を、第２走行体３の回動部材３４、ガイド部材３３を介し、給電ケーブル５の末端をコネクタ６を介して接続する。
（３）給電ケーブル５の適所をケーブル把持部７１の下面と上面のケーブルガイド溝７１１に嵌合して、上片部７１２は閉めて係止片７１３を溝部７１４に係合して給電ケーブル５を押圧固定する。
この際、給電ケーブル５が光源２１側でほぼ弛みの無い状態で、かつ、バネ連結部材７３がバネ作用を生ずるようにケーブル把持部７１を前方、即ち光源２１側に軽く押した状態で給電ケーブル５を押圧固定する。
（４）給電ケーブル５をケーブル把持部７１に固定したケーブル保持部材７は、ケーブル５に弛みがなければそのままで移動することがなく、弛みがあればその分だけバネ連結部材７３のバネ作用によって移動し、弛みを吸収した状態でケーブル保持部材７は静止する。
（５）バネ作用によって弛みを吸収した状態で静止状態となったケーブル保持部材７において、固定部７４の調整孔７４１にボルト８を挿入し、装置本体１側の第２レール１２に設けられた雌ネジ孔１４に縲合して固定する。
【００１２】
このような手順で、ケーブル保持部材７を装置本体１に固定すると給電ケーブル５に自動的に弛みの無い状態で付設することができる。
特に、複数本の丸形被覆電線を可動体の給電ケーブルとして付設する場合には、弛みがあると、ケーブルが捩れたり給電ケーブル同士が交差したりして、給電ケーブルの切断や、器材の破損が生じることがあるが、給電ケーブルの余分な弛みを簡易に吸収できるので、安全性に優れてたケーブル保持装置となる。
【００１３】
なお、本発明の特徴を損なうものでなければ、上記の実施例に限定されるものでないことは勿論であり、例えば、バネ連結部材７３のバネ部７３１は金属等の別体としてもよい。
【００１４】
【発明の効果】
請求項１に対応する効果：可動部材に接続する複数本の給電ケーブルの弛みを、バネ連結部材が吸収するので、簡単な取り付けで弛みのない給電ケーブルを付設でき、給電ケーブルが捩れたり給電ケーブル同士が交差したりして、切断や器材の破損することを防げる。また、給電ケーブルの長手方向に細長い調整孔によりケーブル保持部材の最適の固定位置に簡単にセットできる。
請求項２に対応する効果：ケーブル長手方向にケーブル保持部材を案内する案内部を設けたので、可動部材の不規則な動きをしても給電ケーブルのずれを防止し、保持部材の回転などの不具合も防止する。
【図面の簡単な説明】
【図１】  本発明の好適な実施例のケーブル保持装置を画像読み取り装置の可動部の全体の斜視図である。
【図２】  本発明の実施例のケーブル保持部材の分解斜視図である。
【図３】  図２のケーブル保持部材を組み立てて使用した斜視図である。
【符号の説明】
１…画像読み取り装置本体、１１…第１レール、１２…第２レール、１３…案内孔、１３１…側面部、１３２…係止部、１４…雌ネジ孔、２…第１走行体、２１…光源、２２…リフレクタ、２３…ミラー、３…第２走行体、３１…ミラー、３２…ミラー、３３…ガイド部材、３４…回動部材、４…レンズ部、５…給電ケーブル、６…コネクタ、７…ケーブル保持部材、７１…ケーブル把持部、７１１…ケーブルガイド溝、７１２…上片部、７１３…係止片、７１４…溝部、７２…摺動溝、７３…バネ連結部材、７３１…バネ部、７３２…係止部材、７４…固定部、７４１…調整孔、８…ボルト
【図１】
0004117820.tif 000002
【図２】
0004117820.tif 000003
【図３】
0004117820.tif 000004